(57)【要約】【課題】生産性を考慮しつつ、ガラスモールド製の対物レンズを用いた場合でも、適正に収差の補正を行える光ピックアップ装置を提供する。【解決手段】対物レンズＯＢＪと補正素子ＳＥの両方を通過した光束には、それぞれの収差を足し合わせることで残留収差がうち消され、情報の記録及び／又は再生を最適に行えるようになっている。対物レンズＯＢＪを補正素子ＳＥと一体で駆動することで、アクチュエータの負担は大きくなるが、トラッキングによりコマ収差が増大することを抑制できる。又、補正素子ＳＥの収差補正のために電流供給を必要としないので、環境温度の上昇を回避でき、アクチュエータの負担も抑えることができる。【選択図】図３
2009087429.tif 000002
【特許請求の範囲】
【請求項１】
光源からの光束を集光光学系を介して光ディスクの情報記録面上に集光させることにより、情報の記録及び／又は再生を行うようになっている光ピックアップ装置において、
前記集光光学系は、第１の種類の収差を補正するために輪帯状構造を有するガラスモールド製の対物レンズと、前記第１の種類の収差を補正する補正素子とを有し、
情報の記録及び／又は再生を行うために、前記対物レンズにより光ディスクの情報記録面上に集光する光束において生じる前記第１の種類の収差を補正すべき最低量をαとし、前記対物レンズの輪帯状構造で補正する前記第１の種類の収差の量をβとし、前記補正素子で補正する前記第１の種類の収差の量をγとしたときに、以下の式を満たすことを特徴とする光ピックアップ装置。
α≦β＋γ
【請求項２】
前記補正素子は、プラスチックから形成され、前記第１の種類の収差を補正するために輪帯状構造を有することを特徴とする請求項１に記載の光ピックアップ装置。
【請求項３】
前記補正素子は液晶素子であることを特徴とする請求項１に記載の光ピックアップ装置。
【請求項４】
前記対物レンズと前記補正素子とは鏡枠により一体的に連結されていることを特徴とする請求項１〜３のいずれかに記載の光ピックアップ装置。
【請求項５】
前記補正素子は、前記光源からの光束を反射させて前記対物レンズに導く立ち上げミラーと、前記光源との間に配置されていることを特徴とする請求項１〜３のいずれかに記載の光ピックアップ装置。
【請求項６】
前記補正素子は、情報の記録及び／又は再生を行うために、前記対物レンズにより光ディスクの情報記録面上に集光する光束において生じる、前記第１の種類の収差とは異なる第２の種類の収差を補正することを特徴とする請求項１〜５のいずれかに記載の光ピックアップ装置。
【請求項７】
前記対物レンズの輪帯状構造と、前記補正素子の輪帯状構造とは異なっていることを特徴とする請求項６に記載の光ピックアップ装置。
【発明の詳細な説明】
【技術分野】
【０００１】
本発明は、収差を適正に補正することにより、光ディスクに対して情報の記録及び／又は再生を行える光ピックアップ装置に関する。
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（以下、ＢＤという）では、ＤＶＤ（ＮＡ０．６、光源波長６５０ｎｍ、記憶容量４．７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ ＤＶＤ（本明細書では、ＨＤという）では、直径１２ｃｍの光ディスクに対して、１層あたり１５〜２０ＧＢの情報の記録が可能である。 
【０００３】
ところで、高密度光ディスクを用いる場合における一つの問題は、ＣＤやＤＶＤに比べると、情報記録面上に集光されたスポットにおける収差の許容度が小さいと言うことである。これに対し、収差を補正するために、対物レンズの光学面に微細な回折構造を形成する技術も知られている。ここで、一般的にプラスチック製の対物レンズは、射出成形等によって微細な回折構造を光学面に容易に形成でき、量産が可能であるというメリットがある一方で、温度変化に対する屈折率変化が大きいために、環境温度の変化に応じて球面収差が増大し易いという問題がある。これに対し、特許文献１には、ガラスモールド製の対物レンズに回折構造を形成してなる光ピックアップ装置が開示されている。
【特許文献１】特開２００７−１０２９８３号公報
【発明の開示】
【発明が解決しようとする課題】
【０００４】
しかるに、上記の特許文献１に記載された対物レンズを用いれば、ガラスの特性を利用して環境温度の変化に応じた球面収差の劣化を抑制できる。又、異なる保護基板厚さの光ディスクを互換使用する際に問題となる球面収差や、色収差等については、対物レンズに形成した回折構造で補正することができる。ところが、ガラスモールド製の対物レンズに微細な回折構造を設けることは製造上極めて困難であり、一般的には量産に向かないという問題がある。かかる問題に対し、倍率を有限とした集光光学系を用いれば、対物レンズに形成する回折構造のピッチを広くでき、ある程度生産性の向上を図れるが、それによりトラッキング時にコマ収差が発生しやすくなるという別の問題が生じる。
【０００５】
本発明は、上述の問題を考慮したものであり、生産性を考慮しつつ、ガラスモールド製の対物レンズを用いた場合でも、適正に収差の補正を行える光ピックアップ装置を提供することを目的とする。
【課題を解決するための手段】
【０００６】
請求項１に記載の光ピックアップ装置は、光源からの光束を集光光学系を介して光ディスクの情報記録面上に集光させることにより、情報の記録及び／又は再生を行うようになっている光ピックアップ装置において、
前記集光光学系は、第１の種類の収差を補正するために輪帯状構造を有するガラスモールド製の対物レンズと、前記第１の種類の収差を補正する補正素子とを有し、
情報の記録及び／又は再生を行うために、前記対物レンズにより光ディスクの情報記録面上に集光する光束において生じる前記第１の種類の収差を補正すべき最低量をαとし、前記対物レンズの輪帯状構造で補正する前記第１の種類の収差の量をβとし、前記補正素子で補正する前記第１の種類の収差の量をγとしたときに、以下の式を満たすことを特徴とする。
α≦β＋γ
【０００７】
本発明の原理を図面を参照して説明する。図１は、本発明に用いる対物レンズＯＢＪの例を模式的に示した断面図（ａ）及び光源側から見た正面図（ｂ）である。この対物レンズＯＢＪは、光源側の屈折面Ｓ１及び光ディスク側の屈折面Ｓ２が共に非球面形状を呈した正の屈折力を有する凸レンズである。また、対物レンズの光源側の屈折面Ｓ１は、光軸と同心状に３つの分割面ｂ１〜ｂ３から構成されている。分割面の境界は段差を設けて、それぞれの分割面を形成している。それに伴って、対物レンズの球面収差及び波面収差は上記境界部分に該当する箇所で段差を生じている。このように幅の広い輪帯状構造であれば、対物レンズＯＢＪをガラスモールド製としても容易に形成できる。
【０００８】
例えばＢＤとＤＶＤとに対して互換可能に情報の記録及び／又は再生を行える光ピックアップ装置において、対物レンズを共通に用いるとすると、通常の対物レンズでは、例えばＢＤとＤＶＤの透明基板厚さの違いによる球面収差発生は避けられない。しかしながら、図１に示す対物レンズＯＢＪでは完全な球面収差補正は出来ないものの、かかる収差をより緩和するように設計されている。
【０００９】
より具体的には、本発明の対物レンズＯＢＪによれば、光軸と同心状に３つの分割面ｂ１〜ｂ３から構成することで、例えばＢＤ使用時の球面収差と、ＤＶＤ使用時の球面収差とをバランスさせることができる。しかしながら、分割面を設けたことによる収差補正量をβとすると、従来の非球面対物レンズにおいて、適正な情報の記録及び／又は再生を行うために最低限必要な補正量をαとしたときに、α＞βであるから、補正不足となる。
【００１０】
より具体的に説明する。図２（ａ）に、図１の対物レンズにおけるＤＶＤ使用時の縦球面収差図と、ＢＤ使用時の縦球面収差図とを示す。ここでは、図２（ａ）に示す収差特性では、ＤＶＤ使用時における補正後の残留収差量がＸ、ＢＤ使用時における補正後の残留収差量がＹとなって、いずれも０．０７λｒｍｓを超えるため、情報の記録及び／又は再生を適正に行うことができない。そこで本発明では、これを補うべく、必要な収差補正を行える補正素子を設けている。この補正素子の収差補正量をγとする。
【００１１】
図２（ｂ）に、図１の対物レンズと対応して用いる補正素子におけるＤＶＤ使用時の縦球面収差図と、ＢＤ使用時の縦球面収差図とを示す。図２（ｂ）の点線で示すように、補正素子の収差特性が対物レンズの収差特性を補うべく、ＤＶＤ使用時の収差補正量がＸ’、ＢＤ使用時の収差補正量がＹ’となっているので、図２（ａ）に示すように大まかな収差補正を行う対物レンズと、図２（ｂ）に示すように微調整的に収差補正を行う補正素子の両方を通過した光束には、それぞれの収差を足し合わせる（Ｘ＋Ｘ’、Ｙ＋Ｙ’）ことで残留収差がキャンセルされ、結局図２（ｃ）の実線で示すように、有効径内にわたって０．０７λｒｍｓ以内の収差になるように補正される（但し、ＤＶＤの開口数より外側の領域では、フレア光を形成するように収差が大きくなっている）。即ち、α≦β＋γを満たすこととなる。これにより、いずれの光ディスクに対しても、情報の記録及び／又は再生を適切に行うことができる。尚、β＞γ、β＝γ、β＜γのいずれでも良い。
【００１２】
ここで、第１の種類の収差とは、「互換光ピックアップ装置において情報の記録及び／又は再生を可能な異なる種類の光ディスクの保護基板厚さに起因して発生する球面収差」、「温度変化に起因して生じる球面収差」、「光源の波長変動に起因して発生する収差」のいずれかをいう。
【００１３】
請求項２に記載の光ピックアップ装置は、請求項１に記載の発明において、前記補正素子は、プラスチックから形成され、前記第１の種類の収差を補正するために輪帯状構造を有することを特徴とする。輪帯状構造としては、入射光束に対して光路差を付加する光路差付与構造がある。光路差付与構造には、位相差を付与する位相差付与構造も含まれる。また、位相差付与構造には回折構造やＮＰＳ構造が含まれる。光路差付与構造は、光軸の方向とほぼ平行な段差を有し、好ましくは段差を複数有する。この段差により入射光束に光路差及び／又は位相差が付加される。光路差付与構造により付加される光路差は、入射光束の波長の整数倍であっても良いし、入射光束の波長の非整数倍であっても良い。
【００１４】
請求項３に記載の光ピックアップ装置は、請求項１に記載の発明において、記補正素子は液晶素子であることを特徴とする。補正素子とは、電流を付与することで、通過する光束に所定の収差を与えるものをいい、例えば特開２００５−１５８１０２に記載されている。
【００１５】
請求項４に記載の光ピックアップ装置は、請求項１〜３のいずれかに記載の発明において、前記対物レンズと前記補正素子とは鏡枠により一体的に連結されていることを特徴とする。
【００１６】
請求項５に記載の光ピックアップ装置は、請求項１〜３のいずれかに記載の発明において、前記補正素子は、前記光源からの光束を反射させて前記対物レンズに導く立ち上げミラーと、前記光源との間に配置されていることを特徴とする。
【００１７】
請求項６に記載の光ピックアップ装置は、請求項１〜５のいずれかに記載の発明において、前記補正素子は、情報の記録及び／又は再生を行うために、前記対物レンズにより光ディスクの情報記録面上に集光する光束において生じる、前記第１の種類の収差とは異なる第２の種類の収差を補正することを特徴とする。ここで、第２の種類の収差とは、第１の種類の補正が、例えば「互換光ピックアップ装置において情報の記録及び／又は再生を可能な異なる種類の光ディスクの保護基板厚さに起因して発生する球面収差」である場合には、「温度変化に起因して生じる球面収差」、又は「光源の波長変動に起因して発生する収差」である。
【００１８】
請求項７に記載の光ピックアップ装置は、請求項６に記載の発明において、前記対物レンズの輪帯状構造と、前記補正素子の輪帯状構造とは異なっていることを特徴とする。例えば、前記対物レンズの輪帯状構造の幅を、前記補正素子の輪帯状構造より広くすると、前記対物レンズをガラスモールド製としても容易に成形できる。
【００１９】
本明細書において、対物レンズとは、光ピックアップ装置において光ディスクが装填された状態で光ディスクに対向する位置に配置され、光源から射出された光束を光ディスクの情報記録面上に集光する機能を有する光学系を指す。好ましくは、対物レンズとは、光ピックアップ装置において光ディスクに対向する位置に配置され、光源から射出された光束を光ディスクの情報記録面上に集光する機能を有する光学系であって、更に、アクチュエータにより少なくとも光軸方向に一体的に変位可能とされた光学系を指す。対物レンズは、二つ以上の複数のレンズ及び光学素子から構成されていてもよいし、単玉のレンズのみでもよい。
【００２０】
光情報記録再生装置は、上述の光ピックアップ装置を有する光ディスクドライブ装置を有することができる。
【００２１】
ここで、光情報記録再生装置に装備される光ディスクドライブ装置に関して説明すると、光ディスクドライブ装置には、光ピックアップ装置等を収納している光情報記録再生装置本体から光ディスクを搭載した状態で保持可能なトレイのみが外部に取り出される方式と、光ピックアップ装置等が収納されている光ディスクドライブ装置本体毎、外部に取り出される方式とがある。
【００２２】
上述した各方式を用いる光情報記録再生装置には、概ね、次の構成部材が装備されているがこれに限られるものではない。 ハウジング等に収納された光ピックアップ装置、光ピックアップ装置をハウジングごと光ディスクの内周あるいは外周に向けて移動させるシークモータ等の光ピックアップ装置の駆動源、光ピックアップ装置のハウジングを光ディスクの内周あるいは外周に向けてガイドするガイドレールなどを有した光ピックアップ装置の移送手段及び、光ディスクの回転駆動を行うスピンドルモータ等である。
【００２３】
前者の方式には、これら各構成部材の他に、光ディスクを搭載した状態で保持可能なトレイおよびトレイを摺動させるためのローディング機構等が設けられ、後者の方式にはトレイおよびローディング機構がなく、各構成部材が外部に引き出し可能なシャーシに相当するドロワーに設けられていることが好ましい。
【発明の効果】
【００２４】
本発明によれば、簡単且つ低コストの構成で、生産性を考慮しつつ、ガラスモールド製の対物レンズを用いた場合でも、適正に収差の補正を行える光ピックアップ装置を提供することが可能になる。
【発明を実施するための最良の形態】
【００２５】
以下、本発明の実施の形態を図面を参照して説明する。図３は、光ディスクであるＢＤに対して適切に情報の記録及び／又は再生を行うことができる本実施の形態の光ピックアップ装置ＰＵ１の構成を概略的に示す図である。かかる光ピックアップ装置ＰＵ１は、光情報記録再生装置に搭載できる。なお、本発明は、本実施の形態に限られるものではない。
【００２６】
本実施の形態においては、対物レンズＯＢＪと、補正素子ＳＥとは、鏡枠ＨＬＤにより光軸を一致させて固定され、不図示のアクチュエータで一体的に駆動されるようになっている。対物レンズＯＢＪは、ガラスモールド製であって、図１に示すような輪帯構造を有する。一方、補正素子ＳＥは、プラスチック製の平行平板であり、その光源側の光学面には、対物レンズＯＢＪにより発生する球面収差と相補する球面収差（ここでは第１の種類の収差として色収差）を発生させる回折構造又はＮＰＳ構造などの輪帯状構造を形成している（図２参照）。尚、例えば異なる種類の光ディスクを使用できる互換用光ピックアップ装置の場合、補正素子ＳＥの光ディスク側の光学面に、光ディスクの保護基板厚さに起因する球面収差（第２の種類の収差）を補正するために回折構造又はＮＰＳ構造などの輪帯状構造を形成することができる。
【００２７】
光ピックアップ装置ＰＵ１の動作を説明すると、図３において、半導体レーザＬＤから射出されたλ１＝４０５ｎｍの発散光束は、偏光ビームスプリッタＰＢＳを通過し、コリメートレンズＣＯＬにより平行光束とされた後、λ／４波長板ＱＷＰにより直線偏光から円偏光に変換され、補正素子ＳＥを通過し、図示しない絞りによりその光束径が規制され、対物レンズＯＢＪによって厚さ０．０８７５ｍｍの保護基板を介して、ＢＤの情報記録面上に形成されるスポットとなる。
【００２８】
ＢＤの情報記録面上で情報ピットにより変調された反射光束は、再び対物レンズＯＢＪ、補正素子ＳＥ、絞りを透過した後、λ／４波長板ＱＷＰにより円偏光から直線偏光に変換され、コリメートレンズＣＯＬを通過し、偏光ビームスプリッタＰＢＳで反射され、光検出器ＰＤの受光面上に収束する。そして、光検出器ＰＤの出力信号を用いて、２軸アクチュエータ（不図示）により対物レンズＯＢＪを補正素子ＳＥと一体でフォーカシングやトラッキングさせることで、ＢＤに記録された情報を読み取ることができる。
【００２９】
本実施の形態によれば、対物レンズＯＢＪと補正素子ＳＥの両方を通過した光束には、それぞれの収差を足し合わせることで残留収差がうち消され、情報の記録及び／又は再生を最適に行えるようになっている。対物レンズＯＢＪを補正素子ＳＥと一体で駆動することで、アクチュエータの負担は大きくなるが、トラッキングによりコマ収差が増大することを抑制できる。又、補正素子ＳＥの収差補正のために電流供給を必要としないので、環境温度の上昇を回避でき、アクチュエータの負担も抑えることができる。
【００３０】
図４は、光ディスクであるＢＤに対して適切に情報の記録及び／又は再生を行うことができる本実施の形態の光ピックアップ装置ＰＵ２の構成を概略的に示す図である。かかる光ピックアップ装置ＰＵ２は、光情報記録再生装置に搭載できる。なお、本発明は、本実施の形態に限られるものではない。
【００３１】
本実施の形態においては、対物レンズＯＢＪと、液晶素子ＬＣＤとは、鏡枠ＨＬＤにより光軸を一致させて固定され、不図示のアクチュエータで一体的に駆動されるようになっている。対物レンズＯＢＪは、ガラスモールド製であって、図１に示すような輪帯構造を有する。一方、液晶素子ＬＣＤは、外部から電流を供給することで、通過する光束に対して、対物レンズＯＢＪにより発生する球面収差と相補する球面収差を付与するようになっている（図２参照）。
【００３２】
光ピックアップ装置ＰＵ２の動作を説明すると、図４において、半導体レーザＬＤから射出されたλ１＝４０５ｎｍの発散光束は、偏光ビームスプリッタＰＢＳを通過し、コリメートレンズＣＯＬにより平行光束とされた後、λ／４波長板ＱＷＰにより直線偏光から円偏光に変換され、液晶素子ＬＣＤを通過し、図示しない絞りによりその光束径が規制され、対物レンズＯＢＪによって厚さ０．０８７５ｍｍの保護基板を介して、ＢＤの情報記録面上に形成されるスポットとなる。
【００３３】
ＢＤの情報記録面上で情報ピットにより変調された反射光束は、再び対物レンズＯＢＪ、液晶素子ＬＣＤ、絞りを透過した後、λ／４波長板ＱＷＰにより円偏光から直線偏光に変換され、コリメートレンズＣＯＬを通過し、偏光ビームスプリッタＰＢＳで反射され、光検出器ＰＤの受光面上に収束する。そして、光検出器ＰＤの出力信号を用いて、２軸アクチュエータ（不図示）により対物レンズＯＢＪを補正素子ＳＥと一体でフォーカシングやトラッキングさせることで、ＢＤに記録された情報を読み取ることができる。
【００３４】
本実施の形態によれば、対物レンズＯＢＪと液晶素子ＬＣＤの両方を通過した光束には、それぞれの収差を足し合わせることで残留収差がうち消され、情報の記録及び／又は再生を最適に行えるようになっている。対物レンズＯＢＪを液晶素子ＬＣＤと一体で駆動することで、アクチュエータの負担は大きくなるが、トラッキングによりコマ収差が増大することを抑制できる。
【００３５】
図５は、光ディスクであるＢＤに対して適切に情報の記録及び／又は再生を行うことができる本実施の形態の光ピックアップ装置ＰＵ３の構成を概略的に示す図である。かかる光ピックアップ装置ＰＵ３は、光情報記録再生装置に搭載できる。なお、本発明は、本実施の形態に限られるものではない。
【００３６】
本実施の形態においては、半導体レーザＬＤからの光束を反射させて対物レンズＯＢＪに導く立ち上げミラーＭと、半導体レーザＬＤとの間に、液晶素子ＬＣＤが配置されている。対物レンズＯＢＪは、ガラスモールド製であって、図１に示すような輪帯構造を有する。一方、液晶素子ＬＣＤは、外部から電流を供給することで、通過する光束に対して、対物レンズＯＢＪにより発生する球面収差と相補する球面収差を付与するようになっている（図２参照）。
【００３７】
光ピックアップ装置ＰＵ３の動作を説明すると、図５において、半導体レーザＬＤから射出されたλ１＝４０５ｎｍの発散光束は、偏光ビームスプリッタＰＢＳを通過し、コリメートレンズＣＯＬにより平行光束とされた後、液晶素子ＬＣＤを通過し、λ／４波長板ＱＷＰにより直線偏光から円偏光に変換され、立ち上げミラーＭで反射された後、図示しない絞りによりその光束径が規制され、対物レンズＯＢＪによって厚さ０．０８７５ｍｍの保護基板を介して、ＢＤの情報記録面上に形成されるスポットとなる。
【００３８】
ＢＤの情報記録面上で情報ピットにより変調された反射光束は、再び対物レンズＯＢＪ、絞りを透過した後、立ち上げミラーＭで反射され、λ／４波長板ＱＷＰにより円偏光から直線偏光に変換され、液晶素子ＬＣＤ、コリメートレンズＣＯＬを通過し、偏光ビームスプリッタＰＢＳで反射され、光検出器ＰＤの受光面上に収束する。そして、光検出器ＰＤの出力信号を用いて、２軸アクチュエータ（不図示）により対物レンズＯＢＪをフォーカシングやトラッキングさせることで、ＢＤに記録された情報を読み取ることができる。
【００３９】
本実施の形態によれば、対物レンズＯＢＪと液晶素子ＬＣＤの両方を通過した光束には、それぞれの収差を足し合わせることで残留収差がうち消され、情報の記録及び／又は再生を最適に行えるようになっている。立ち上げミラーＭを用いて光束を折り曲げることで、例えばノート型パソコン等に搭載可能な薄形の光ピックアップ装置を提供できる。又、アクチュエータは対物レンズのみを駆動すれば良いので、その負担が小さくなり、環境温度の上昇を抑えることができる。尚、液晶素子に加え、又はその代わりに、コリメートレンズＣＯＬを光軸方向に変位させて収差補正を行うようにしても良い。
【００４０】
尚、光ディスクはＢＤに限らず、ＨＤ、ＤＶＤ、ＣＤのいずれも使用可能である。更に、本発明は、異なる種類の光ディスクに対して互換可能に情報の記録及び／又は再生を行う光ピックアップ装置にも適用可能である。
【図面の簡単な説明】
【００４１】
【図１】本発明に用いる対物レンズＯＢＪを模式的に示した断面図（ａ）及び光源側から見た正面図（ｂ）である。
【図２】図２（ａ）は、図１の対物レンズにおけるＤＶＤ使用時の縦球面収差図と、ＢＤ使用時の縦球面収差図あり、図２（ｂ）は、図１の対物レンズと対応して用いる補正素子におけるＤＶＤ使用時の縦球面収差図と、ＢＤ使用時の縦球面収差図であり、図２（ｃ）に、トータルでのＤＶＤ使用時の縦球面収差図と、ＢＤ使用時の縦球面収差図である。
【図３】光ピックアップ装置ＰＵ１の構成を概略的に示す図である。
【図４】光ピックアップ装置ＰＵ２の構成を概略的に示す図である。
【図５】光ピックアップ装置ＰＵ３の構成を概略的に示す図である。
【符号の説明】
【００４２】
ＣＯＬ コリメートレンズ
ＨＬＤ 鏡枠
ＬＣＤ 液晶素子
ＬＤ 半導体レーザ
Ｍ ミラー
ＯＢＪ 対物レンズ
ＰＢＳ 偏光ビームスプリッタ
ＰＤ 光検出器
ＰＵ１ 光ピックアップ装置
ＰＵ２ 光ピックアップ装置
ＰＵ３ 光ピックアップ装置
ＱＷＰ λ／４波長板
ＳＥ 補正素子
【図１】
2009087429.tif 000003
【図２】
2009087429.tif 000004
【図３】
2009087429.tif 000005
【図４】
2009087429.tif 000006
【図５】
2009087429.tif 000007